(57)【要約】      （修正有）【課題】ガイドピンの逆戻り防止効果が失われるのを防止でき、ピンガイド溝製作が容易で、プッシュオン・プッシュオフ機構の組立も容易にできるプッシュ式メモリーカードコネクタの提供。【解決手段】ピンガイド４１は、スライダー３０の往復動作方向に平行な仮想平面上に設置され、ガイドピン４２は、前記仮想平面に対して鉛直な方向に向け、且つスライダー３０の往復作方向と平行な仮想の直線である中立位置線yを横切る方向に移動自在で、かつバネアーム４３により、中立位置線上に復帰する方向に付勢されて設置され、ピンガイド４１は、スライダー３０の往復動作によってガイドピン４２の側面が当接して、これをバネアーム４３の弾性力に抗して中立位置線の左右側に動作させて往復動作させる配置に仮想平面からの立上り壁面をもって構成させる。【選択図】図２
2010073538.tif 000002
【特許請求の範囲】
【請求項１】
ハウジング等の支持部に対して直線方向に往復動作自在なスライダーと、該スライダーを復動作側に付勢する復帰バネと、前記スライダー又は支持部の何れか一方にガイドピンを支持させるとともに、他方に該ガイドピンが摺接するピンガイドを備え、前記スライダーを前記復帰バネによって押し出された復動作末端のスライダー待機位置から前記復帰バネに抗して押し込み方向に操作することによって前記ガイドピンが前記ピンガイドに沿って移動し、該スライダーの押し込み方向動作末端手前位置で、前記ガイドピンが前記ピンガイドに設置した戻り止め係止部に係合することによってスライダーが戻り止めされ、該戻り止め状態位置から前記スライダーを再度の押し込み操作することによって、前記戻り止めが解除され、前記復帰バネによって前記スライダー待機位置に戻るようにしてなるプッシュオン・プッシュオフ機構において、
前記ガイドピンは、前記スライダーの往復作方向と平行な仮想の直線である中立位置線を横切る方向に移動自在で、かつ該中立位置線上に復帰する方向に付勢され、
前記ピンガイドは、前記スライダーの往復動作方向に平行な仮想平面からの立上り壁面をもって構成され、前記スライダーの往復動作によって前記ガイドピンの側面が当接し、該ガイドピンを前記中立位置線上に復帰する方向の付勢力に抗して前記中立位置線の左右側にガイドさせるように構成され、
前記ガイドピンが、スライダーの移動によって前記中立位置線の左右に変位する際に生じる中立位置線側への付勢力により、前記待機時ピン停止位置、戻り止め係止部、ピン往動作末端位置を順に経て待機時ピン停止位置に戻るようにしたことを特徴としてなるプッシュオン・プッシュオフ機構。
【請求項２】
前記ピンガイドには、前記スライダーが前記スライダー待機位置から戻り止め状態位置に至る間に前記ガイドピンをガイドする初期往動作ガイド部と、前記戻り止め状態位置からスライダー往動作末端位置に至る間に前記ガイドピンをガイドする係止解除往動作ガイド部と、該スライダー往動作末端位置から前記スライダー待機位置に至る間に前記ガイドピンをガイドする復動作ガイド部とを連続した配置に備え、
かつ前記初期往動作ガイド部は、復動作ガイド部との合流点近傍においては前記中立位置線の左右の一方側に変位した位置にあって復動作ガイド部より前記中立位置線側に位置し、該初期往動作ガイド部の基端部を、前記スライダーがスライダー待機位置にあるときに前記ガイドピンが位置する待機時ピン停止位置とし、該初期往動作ガイド部の前記中立位置線側のピンガイドを変位させるように伸びた末端に前記戻り止め係止部を設け、
前記係止解除往動作ガイド部は、前記中立位置線に対して前記合流点とＵ字状の折り返しを有して中立位置線側にピンガイドを変位させることができ、
前記復動作ガイド部は、ピン往動作末端位置から前記中立位置線を跨いで前記初期往動作ガイド部に至る配置に設けた請求項１に記載のプッシュオン・プッシュオフ機構。
【請求項３】
前記ガイドピンは、前記スライダーの往復動作方向に向けられたバネアームの先端に一体に備えられ、該バネアームは基端側が前記スライダー又は支持部の何れか一方のガイドピン設置部に固定され、先端側が前記仮想平面と平行な方向に揺動可能に設置されるとともに、前記バネアームの弾性によってガイドピンを前記中立位置線上に復帰する方向に付勢させている請求項１又は２の何れかに記載のプッシュオン・プッシュオフ機構。
【請求項４】
前記初期往動作ガイド部先端位置より前記中立位置線側に、略Ｕ字状に折りかえした戻り止め位置誘導ガイド部を備え、該戻り止め位置誘導ガイド部の出口側末端部に、前記中立位置線側に略Ｕ字状に折り返す形状に前記戻り止め係止部を備えてなる請求項１，２又は３の何れかに記載のプッシュオン・プッシュオフ機構。
【請求項５】
前記ピンガイドは、表面が平らなピンガイド設置部に凹溝を形成し、該凹溝内側面の立上り壁面をもって構成してなる請求項１〜３又は４の何れかに記載のプッシュオン・プッシュオフ機構。
【請求項６】
ハウジング内にあってそのメモリーカード挿入空間に挿抜されるメモリーカードの挿入・排出方向に往復スライドするスライダーと、前記スライダーを前記メモリーカードの排出方向に付勢させる復帰バネと、前記スライダーを前記メモリーカードと共に押し込むことにより、その所定の押し込み位置で前記スライダーを戻り止めし、再度の押し込み動作によって戻り止めを解除するためのピンガイド及び該ピンガイドにガイドされて移動するガイドピンとからなるプッシュオン・プッシュオフ機構とを備え、前記メモリーカードの押込方向動作によって前記スライダーが押し込まれ、該スライダーの押し出し方向の動作によって前記メモリーカードが排出されるようにしてなるプッシュ式メモリーカードコネクタにおいて、前記プッシュオン・プッシュオフ機構として請求項１〜４又は５の何れかに記載のプッシュオン・プッシュオフ機構を使用したことを特徴としてなるプッシュ式メモリーカードコネクタ。
【発明の詳細な説明】
【技術分野】
【０００１】
本発明は、主としてメモリーカードを復帰バネの弾性に抗して押し込み操作することによって所定の押し込み位置で戻り止めされ、再度の押し込み操作によって戻り止めが解除されて復帰バネにより押し戻されるようにしたプッシュ式メモリーカードコネクタに使用するプッシュオン・プッシュオフ機構（別名「モーメンタリー・オルタネイト動作機構」）及びこれを使用したプッシュ式メモリーカードコネクタに関するものである。
【背景技術】
【０００２】
プッシュ式メモリーカードコネクタにおいては、ハウジングのメモリーカード挿入空間に挿入されるカードの挿入・排出方向に往復スライドするスライダーと、前記スライダーを前記カードの排出方向に付勢させる復帰バネと、前記スライダーを前記カードと共に押し込むことにより、その所定の押し込み位置で前記スライダーを戻り止めし、再度の押し込み動作によって戻り止めを解除するためのピンガイド溝及び該ピンガイド溝内を摺動するガイドピンとからなるプッシュオン・プッシュオフ機構とを備えたものが広く使用されている。
【０００３】
従来のプッシュ式メモリーカードコネクタでは、図８及び図９に示すように、スライダー１のスライド方向の先端側にカードの先端を受けるカードストッパー部２を有し、該スライダー１のスライド方向の先端面には該スライダー１を押し戻す復帰バネの先端を受ける復帰バネ先端受け部３を設けている。
【０００４】
スライダー１の表面にはピンガイド溝４を設け、スライダー１のスライド方向の一方の側面にはカードを仮止めするカードロック用爪５を設けた構造になっている。
【０００５】
ピンガイド溝４は、ハート形をしたハートカム６の両側面に、往路ガイド溝部４Ａと復路ガイド溝部４Ｂとが設けられ、これら往路ガイド溝部４Ａと復路ガイド溝部４Ｂの両端部は相互に繋がった循環構造になっている。
【０００６】
このようなピンガイド溝４に、ガイドピン７の先端が挿入されて、往路ガイド溝部４Ａと復路ガイド溝部４Ｂに沿って循環するようになっている。ピンガイド溝４及び該ピンガイド溝４内を摺動するガイドピン７によってプッシュオン・プッシュオフ機構８が構成されている。
【０００７】
この例では、往路ガイド溝部４Ａと復路ガイド溝部４Ｂとの一方の合流部に往復共通溝部４Ｃが設けられている。ガイドピン７が、これら往路ガイド溝部４Ａと復路ガイド溝部４Ｂと往復共通溝部４Ｃに沿って循環中に逆戻りしないように、往路ガイド溝部４Ａと復路ガイド溝部４Ｂと往復共通溝部４Ｃの底面には上って行って頂上で降下する高低の段差部９ａ，９ｂ，９ｃ，９ｄが４カ所に設けられている。
【０００８】
段差部９ａは、往路ガイド溝部４Ａの末端側に達したガイドピン７が、往路ガイド溝部４Ａに戻らずにハートカム６の基部の窪み部６ａに行くように設けられている。段差部９ｂは、段差部９ａを過ぎたガイドピン７が、段差部９ａ側に戻らずにハートカム６の基部の窪み部６ａに行くように設けられている。段差部９ｃは、ハートカム６の基部の窪み部６ａから復路ガイド溝部４Ｂに進むガイドピン７が、ハートカム６の基部の窪み部６ａに戻らないように設けられている。段差部９ｄは、ハートカム６の先端部６ｂで復路ガイド溝部４Ｂの末端から往路ガイド溝部４Ａと往復共通溝部４Ｃとに入ったガイドピン７が、復路ガイド溝部４Ｂに戻らないように設けられている。
【０００９】
往路ガイド溝部４Ａと復路ガイド溝部４Ｂと往復共通溝部４Ｃ内のガイドピン７は、最初は図５の待機時ピン停止位置ａにあり、メモリーカード挿入時の押し込み、即ち初期往動作によって初期往動作末端ピン停止位置ｂに行き、その位置で押し込み操作力を解除することにより戻り止め係止時ピン停止位置ｃに行き、係止解除のための再度のメモリーカード押し込み動作、即ちオフプッシュ動作によってピン往動作末端位置ｄに行き、その位置でスライダーの押し込み捜査力を解除することにより、待機時ピン停止位置ａに戻る。これをメモリーカードの挿抜毎に繰り返すようになっている。
【００１０】
即ち、最初、ガイドピン７は往復共通溝部４Ｃの先端のピン停止位置ａ（この位置では、スライダー１は復帰バネの付勢で手前側のスライダー待機位置に存在してロックされている。）にいる。ハウジングのメモリーカード挿入空間にカードを挿入して、該カードの側面の凹部にカードロック用爪５が入り込んで該カードがスライダー１に仮止めされ、該カードがスライダー１のカードストッパー部２に当たる。かかる状態で、該カードが更に押し込まれると、ガイドピン７は往路ガイド溝部４Ａの段差部９ａを経てピン停止位置ｂに至り、押し込み捜査力解除によって段差部９ｂを経てピン停止位置ｃに至る。この状態になると、カードとスライダー１が奥に押し込まれ、カードがコネクタに電気的に接続された所定の位置に停止している。またこの状態では、スライダー１はロックされており、また復帰バネは圧縮状態になっている。
【００１１】
所定の作業が終了してカードを戻す必要が生じたら、カードを経てスライダー１を更に押し込むと、ガイドピン７は段差部９ｃを経てピン停止位置ｄに至り、その後押し込み操作力解除により復路ガイド溝部４Ｂを通り、段差部９ｄを経て往路ガイド溝部４Ａ及び往復共通溝部４Ｃに入り、往復共通溝部４Ｃを通ってピン停止位置ａに戻る（例えば、特許文献１）。
【特許文献１】特開２００２−２１７８６１号公報  図４
【発明の開示】
【発明が解決しようとする課題】
【００１２】
しかしながら、最近のプッシュ式メモリーカードコネクタは小型化、薄型化されている。従来の小型化、薄型化されたプッシュ式メモリーカードコネクタでは、ピンガイド溝４及び該ピンガイド溝４内を摺動するガイドピン７とからなるプッシュオン・プッシュオフ機構８も小型化、薄型化されている。小型化、薄型化されたピンガイド溝４では、段差部９ａ，９ｂ，９ｃ，９ｄの高低の段差も必然的に低くなる。従来のプッシュ式メモリーカードコネクタでは、ガイドピン７の先端がピンガイド溝４を構成する往路ガイド溝部４Ａ、復路ガイド溝部４Ｂ及び往復共通溝部４Ｃの底面に接触して摺動するので、特にピンガイド溝４の底面に高低差をもつ段差部９ａ，９ｂ，９ｃ，９ｄが摩耗されて高低差が低くなり、ガイドピン７の逆戻り防止効果が失われてしまう問題点があった。さらに、小型化、薄型化されたピンガイド溝４では、その底面に高低差をつけることが難しくなり、プッシュオン・プッシュオフ機構８を組み立てることも難しくなる問題点があった。
【００１３】
本発明の目的は、ガイドピンの逆戻り防止効果が失われるのを防止でき、ピンガイド溝製作が容易で、プッシュオン・プッシュオフ機構の組立も容易にできるプッシュ式メモリーカードコネクタを提供することにある。
【課題を解決するための手段】
【００１４】
上述の如き従来の問題を解決し、所期の目的を達成するための請求項１に記載の発明の特徴は、ハウジング等の支持部に対して直線方向に往復動作自在なスライダーと、該スライダーを復動作側に付勢する復帰バネと、前記スライダー又は支持部の何れか一方にガイドピンを支持させるとともに、他方に該ガイドピンが摺接するピンガイドを備え、前記スライダーを前記復帰バネによって押し出された復動作末端のスライダー待機位置から前記復帰バネに抗して押し込み方向に操作することによって前記ガイドピンが前記ピンガイドに沿って移動し、該スライダーの押し込み方向動作末端手前位置で、前記ガイドピンが前記ピンガイドに設置した戻り止め係止部に係合することによってスライダーが戻り止めされ、該戻り止め状態位置から前記スライダーを再度の押し込み操作することによって、前記戻り止めが解除され、前記復帰バネによって前記スライダー待機位置に戻るようにしてなるプッシュオン・プッシュオフ機構において、前記ガイドピンは、前記スライダーの往復作方向と平行な仮想の直線である中立位置線を横切る方向に移動自在で、かつ該中立位置線上に復帰する方向に付勢され、前記ピンガイドは、前記スライダーの往復動作方向に平行な仮想平面からの立上り壁面をもって構成され、前記スライダーの往復動作によって前記ガイドピンの側面が当接し、該ガイドピンを前記中立位置線上に復帰する方向の付勢力に抗して前記中立位置線の左右側にガイドさせるように構成され、前記ガイドピンが、スライダーの移動によって前記中立位置線の左右に変位する際に生じる中立位置線側への付勢力により、前記待機時ピン停止位置、戻り止め係止部、ピン往動作末端位置を順に経て待機時ピン停止位置に戻るようにしたことにある。
【００１５】
請求項２に記載の発明の特徴は、請求項１の構成に加え、前記ピンガイドには、前記スライダーが前記スライダー待機位置から戻り止め状態位置に至る間に前記ガイドピンをガイドする初期往動作ガイド部と、前記戻り止め状態位置からスライダー往動作末端位置に至る間に前記ガイドピンをガイドする係止解除往動作ガイド部と、該スライダー往動作末端位置から前記スライダー待機位置に至る間に前記ガイドピンをガイドする復動作ガイド部とを連続した配置に備え、かつ前記初期往動作ガイド部は、復動作ガイド部との合流点近傍においては前記中立位置線の左右の一方側に変位した位置にあって復動作ガイド部より前記中立位置線側に位置し、該初期往動作ガイド部の基端部を、前記スライダーがスライダー待機位置にあるときに前記ガイドピンが位置する待機時ピン停止位置とし、該初期往動作ガイド部の前記中立位置線側のピンガイドを変位させるように伸びた末端に前記戻り止め係止部を設け、前記係止解除往動作ガイド部は、前記中立位置線に対して前記合流点とＵ字状の折り返しを有して中立位置線側にピンガイドを変位させることができ、前記復動作ガイド部は、ピン往動作末端位置から前記中立位置線を跨いで前記初期往動作ガイド部に至る配置に設けたことにある。
【００１６】
請求項３に記載の発明の特徴は、請求項１又は２の何れか１の請求項に記載の構成に加え、前記ガイドピンは、前記スライダーの往復動作方向に向けられたバネアームの先端に一体に備えられ、該バネアームは基端側が前記スライダー又は支持部の何れか一方のガイドピン設置部に固定され、先端側が前記仮想平面と平行な方向に揺動可能に設置されるとともに、前記バネアームの弾性によってガイドピンを前記中立位置線上に復帰する方向に付勢させたことにある。
【００１７】
請求項４に記載の発明の特徴は、請求項１、２又は３の何れか１請求項に記載の構成に加え、前記初期往動作ガイド部先端位置より前記中立位置線側に、略Ｕ字状に折りかえした戻り止め位置誘導ガイド部を備え、該戻り止め位置誘導ガイド部の出口側末端部に、前記中立位置線側に略Ｕ字状に折り返す形状に前記戻り止め係止部を備えたことにある。
【００１８】
請求項５に記載の発明の特徴は、請求項１〜３又は４の何れか１請求項に記載の構成に加え、前記ピンガイドは、表面が平らなピンガイド設置部に凹溝を形成し、該凹溝内側面の立上り壁面をもって構成したことにある。
【００１９】
請求項６に記載の発明の特徴は、ハウジング内にあってそのメモリーカード挿入空間に挿抜されるメモリーカードの挿入・排出方向に往復スライドするスライダーと、前記スライダーを前記メモリーカードの排出方向に付勢させる復帰バネと、前記スライダーを前記メモリーカードと共に押し込むことにより、その所定の押し込み位置で前記スライダーを戻り止めし、再度の押し込み動作によって戻り止めを解除するためのピンガイド及び該ピンガイドにガイドされて移動するガイドピンとからなるプッシュオン・プッシュオフ機構とを備え、前記メモリーカードの押込方向動作によって前記スライダーが押し込まれ、該スライダーの押し出し方向の動作によって前記メモリーカードが排出されるようにしてなるプッシュ式メモリーカードコネクタにおいて、前記プッシュオン・プッシュオフ機構として請求項１〜４又は５の何れかに記載の構成のプッシュオン・プッシュオフ機構を使用したことにある。
【発明の効果】
【００２０】
本発明に係るプッシュオン・プッシュオフ機構においては、ガイドピンは、スライダーの往復作方向と平行な仮想の直線である中立位置線を横切る方向に移動自在で、かつ該中立位置線上に復帰する方向に付勢され、ピンガイドは、前記スライダーの往復動作方向に平行な仮想平面からの立上り壁面をもって構成され、前記スライダーの往復動作によって前記ガイドピンの側面が当接し、該ガイドピンを前記中立位置線上に復帰する方向の付勢力に抗して前記中立位置線の左右側にガイドさせるように構成され、前記ガイドピンが、スライダーの移動によって前記中立位置線の左右に変位する際に生じる中立位置線側への付勢力により、前記待機時ピン停止位置、戻り止め係止部、ピン往動作末端位置を順に経て待機時ピン停止位置に戻るようにしたことにより、立ち上がり壁面によって構成されるピンガイドに対し、ガイドピンの側面を摺接させてガイドさせているものであるため、従来のハートカムのように、底面の段差部をピンの先端を押し付けて移動させるものに比べ、ピンガイドの磨耗が少なくなり、特に小型化した際にもより高い耐久性が得られる。
【００２１】
また、ピンガイドには、スライダーがスライダー待機位置から戻り止め状態位置に至る間に前記ガイドピンをガイドする初期往動作ガイド部と、前記戻り止め状態位置からスライダー往動作末端位置に至る間に前記ガイドピンをガイドする係止解除往動作ガイド部と、該スライダー往動作末端位置から前記スライダー待機位置に至る間に前記ガイドピンをガイドする復動作ガイド部とを連続した配置に備え、かつ前記初期往動作ガイド部は、復動作ガイド部との合流点近傍においては前記中立位置線の左右の一方側に変位した位置にあって復動作ガイド部より前記中立位置線側に位置し、該初期往動作ガイド部の基端部を、前記スライダーがスライダー待機位置にあるときに前記ガイドピンが位置する待機時ピン停止位置とし、該初期往動作ガイド部の前記中立位置線側のピンガイドを変位させるように伸びた末端に前記戻り止め係止部を設け、前記係止解除往動作ガイド部は、前記中立位置線に対して前記合流点とＵ字状の折り返しを有して中立位置線側にピンガイドを変位させることができ、前記復動作ガイド部は、ピン往動作末端位置から前記中立位置線を跨いで前記初期往動作ガイド部に至る配置に設けたことにより、ブッシュオン・プッシュオフ動作をさせるようにしているため、ガイドピン循環の為の構造に機械的要素が少なく、容易かつ低コストで製造でき、かかる面においても耐久性に富む。
【００２２】
また、本発明では、前記ガイドピンを、前記スライダーの往復動作方向に向けられたバネアームの先端に、前記ピンガイドが設置されている前記仮想平面に対して鉛直方向側に向けて一体に備え、該バネアームを、その基端側を前記スライダー又は支持部の何れか一方のガイドピン設置部に基端が固定し、先端側が前記仮想平面と平行な方向に弾性的に揺動可能に設置したことにより、バネアームを所定の向きに固定するのみで、ガイドピンを所定の中立位置線に復帰する構造が容易に得られる。
【００２３】
更に、本発明では、前記初期往動作ガイド部のピン往動作末端位置より前記中立位置線側に折り返した戻り止め位置誘導ガイド部を備え、該戻り止め位置誘導ガイド部の出口側末端部に前記戻り止め係止部を同じく前記中立位置線側に折り返す形状に備えたことにより、初期往動作の末端で自動的にスライダー動作が停止され、捜査力の解除によってガイドピンが自動的に戻り止め停止位置に移動する事となり、操作性が良いものとなる。
【００２４】
更に、本発明では、前記ピンガイドは、表面が平らピンガイド設置部に凹溝を形成し、該凹溝内側面の立上り壁面をもって構成することにより、ピンガイドの製造が容易となる。
【００２５】
また、本発明においては、ハウジング内にあってそのメモリーカード挿入空間に挿抜されるメモリーカードの挿入・排出方向に往復スライドするスライダーと、前記スライダーを前記メモリーカードの排出方向に付勢させる復帰バネと、前記スライダーを前記メモリーカードと共に押し込むことにより、その所定の押し込み位置で前記スライダーを戻り止めし、再度の押し込み動作によって戻り止めを解除するためのピンガイド及び該ピンガイドにガイドされて移動するガイドピンとからなるプッシュオン・プッシュオフ機構とを備え、前記メモリーカードの押込方向動作によって前記スライダーが押し込まれ、該スライダーの押し出し方向の動作によって前記メモリーカードが排出されるようにしてなるプッシュ式メモリーカードコネクタに、請求項１〜４の何れかに記載のプッシュオン・プッシュオフ機構を使用することにより、耐久性の高いプッシュ式メモリーカードコネクタがえられる。
【発明を実施するための最良の形態】
【００２６】
次に、本発明に係るプッシュオン・プッシュオフ機構を使用したプッシュ式メモリーカードコネクタの最良の形態を、図1〜図６に示す実施例を参照して詳細に説明する。
【００２７】
図において符号２０は、プッシュ式メモリーカードコネクタのハウジングであり、本発明に係るプッシュオン・プッシュオフ機構のスライダーを往復動自在に支持する支持部を構成している。
【００２８】
ハウジング２０は合成樹脂によってモールド成型されたハウジング本体２１とこれに重ね合わせる配置に組み合わせた金属材料をプレス成型したシールドカバー２２とから構成されハウジング本体２１とシールドカバー２２とをもって薄箱状のハウジング２０を構成している。
【００２９】
ハウジング本体２１は、平板状をした底板部２１ａを有しており、その両側部上面に一体に立ち上げた形状に側壁構成部２１ｂが、また、後端部上面に一体に立ち上げた形状の後壁構成部２１ｃがそれぞれ備えられている。
【００３０】
一方シールドカバー２２は、ハウジング本体２１の上面及び両側壁構成部外及び後壁外を覆う形状をなし、前記底板部２１ａと、これと平行配置となる平板状の天板部２２ａとの間がメモリーカード挿入部２３及びスライダー収容部２４となっている。
【００３１】
メモリーカード挿入部２３とスライダー収容部２４とはスライダー用のガイド突条２５によって仕切られている。スライダー収容部２４、即ちハウジング本体２１の底板部２１ａ上のガイド突条２５と側壁構成部２１ｂとの間の空間内にスライダー３０が前後方向に向けて直線的に往復動自在に収容されている。スライダー３０の前端面３１と後壁構成部２１ｃとの間にはコイルスプリングからなる復帰バネ２６が軸方向にやや圧縮された状態で介在されており、スライダー３０を常時ハウジング前端側であるスライダー待機位置側に付勢している。ハウジング本体２１のスライダー収容部前端には前壁構成部２１ｄが立ち上げられた状態で設置されており、これにスライダー３０の前端が当接した状態が復帰バネ２６によって押し出された復帰動作末端であるスライダー待機位置となっている。
【００３２】
スライダー３０には、その先端側（ハウジング後壁側）にガイド突条２５を跨いでメモリーカード挿入部２３側に突出させたカードストッパー３２が一体に備えられており、これにメモリーカードＡの先端縁が当接し、該カードの押し込み操作によってスライダー３０が押し込まれるようになっている。
【００３３】
スライダー３０からは、メモリーカード挿入部２３側にカード係止爪３３が突出されており、このカード係止爪３３がメモリーカードＡのその縁の係止凹部３４に係止されるようになっている。このカード係止爪３３は、図には詳示してないが、スライダー３０がスライダー待機位置にあるときは弾性的に出入が可能となっていて、メモリーカードＡの挿抜時には弾性的に退避してメモリーカードＡの挿抜が支障なくなされるが、スライダー３０がスライダー待機位置から奥側に押し込まれることによって退避不能な状態となり、メモリーカードＡがスライダー３０に係合されて抜き取り不能な状態となるようになっている。
【００３４】
スライダー３０とハウジング本体２１との間に本発明に係るプッシュオン・プッシュオフ機構が備えられている。この機構は、前述した復帰バネ２６、スライダー上面に備えたピンガイド４１、該ピンガイド４１にガイドされるガイドピン４２及び該ガイドピン４２を支持するバネアーム４３から構成されている。
【００３５】
バネアーム４３とガイドピン４２とはバネ性のある金属線材によって一体に成形されており、直線状のバネアーム４３の先端を９０度折り曲げて、円柱状のガイドピン４２を一体成形している。このバネアーム４３は、その基端部を後壁構成部２１ｃに固定した片持式となっており、その先端のガイドピン４２を、スライダー往復移動方向と平行な仮想の中立位置線ｙ上に復帰させるように付勢するようになっている。
【００３６】
ピンガイド４１は、スライダー３０の往復動作方向と平行な仮想平面上に立ち上げた立ち上がり壁面を持って構成されており、本例では、スライダー３０の平らな上面３１ａを前記仮想平面とし、これに形成した凹溝４５内の左右の立上り壁面をもって構成させている。この仮想平面は、スライダーの平らな上面である必要は無く、湾曲したスライダー上面に想定した仮想の平面から立ち上がり壁面が立設されているものであればよい。またスライダー３０の上面の他、側面又は底面などの各種の部分に形成できる。
【００３７】
ガイドピン４２は、この面３１ａに鉛直な向きに突設され、その円柱状の外周面が図６に示すように凹溝４５内の立上り壁面４５ａ又は４５ｂによって構成されるピンガイド面に摺接し、スライダー３０の往復動作に応じてピンガイド４１によって左右に変位されるようになっている。
【００３８】
この凹溝内の立ち上がり壁面からなるピンガイド４１は、図２〜図５に示すように、前記中立位置線ｙを左右に跨ぐ配置に形成されているものであり、スライダー３０が図１に示す状態のスライダー待機位置からハウジング２０内に押し込まれて戻り止めされる位置、即ち図２に示す状態の戻り止め状態位置に至る間にガイドピン４２をガイドする初期往動作ガイド部４１aと、前記戻り止め状態位置からが戻り止め状態解除のための係止解除のためのスライダー往動作末端位置に至る間にガイドピン４２をガイドする係止解除往動作ガイド部４１dと、スライダー３０が最も押し込まれた往動作末端位置からスライダー待機位置に至る間に前記ガイドピンをガイドする復動作ガイド部４１eとを連続した配置に備えている。
【００３９】
初期往動作ガイド部４１aには、その端部に戻り止め位置誘導ガイド部４１b、戻り止め係止部４１cが備えられている。戻り止め位置誘導ガイド部４１bは初期往動作ガイド部４１ａの先端を中立位置線側に略Ｕ字状に折りかえした形状に形成され、その出口側末端部に、これより中立位置線ｙ側に略Ｕ字状に折り返す形状に戻り止め係止部４１ｃを備えている。この戻り止め係止部４１ｃは、凹溝の逆Ｕ字状の奥側及び中立位置線側、即ち、図５における上側及び右側の立上り壁がガイド部となっており、逆Ｕ字状の最奥部右側が戻り止め係止時ピン停止位置ｃとなっている。
【００４０】
初期往動作ガイド部４１aは、中立位置線yの左右の一方側本例では左側に偏位した位置にあり、初期往動作ガイド部４１aの基端部が、スライダー３０がスライダー待機位置にあるときにガイドピン４１が位置する待機時ピン停止位置aとなっている。
【００４１】
係止解除往動作ガイド部４１dは、中立位置線yの左側にある戻り止め係止部４１cから前記中立位置線ｙを跨いでその右側に至る配置に設けられており、その終端がピン往動作末端位置ｄとなっている。
【００４２】
即ち、係止解除往動作ガイド部４１dは、その始端部、即ち戻り止め係止時ピン停止位置ｃ側は中立位置線ｙの左側にあるが、該ガイド部４１ｄの終端であるピン往動作末端位置ｄは、中立位置線ｙを跨いでその反対側、即ち図２において右側に至るように中立位置線ｙに交差する斜めの配置に形成されている。
【００４３】
復動作ガイド部４１eは、係止解除往動作ガイド部４１dの中立位置線ｙの右側にあるピン往動作末端位置ｄから中立位置線ｙを跨いで初期往動作ガイド部４１ａに至る配置に設けられている。この復動作ガイド部４１ｅの終端は、初期往動作ガイド部４１ａを構成している凹溝の途中において、その左側の立ち上がり面、即ち中立位置線ｙとは反対側の面に開口して合流点ｅを構成しており、その合流点ｅから待機時ピン位置ａまでの間は、復動作ガイド部４１eと初期往動作ガイド部４１ａとを共有している。
【００４４】
このように構成されるプッシュオン・プッシュオフ機構では、スライダー３０がスライダー待機位置にある待機時ピン停止位置aから、戻り止め係止部４１ｃの戻り止め係止時ピン停止位置ｃに至る初期往動作ガイド部４１ａは、中立位置線ｙの左側にあるため、ガイドピン４２は、バネアーム４３によって中立位置線ｙ側に付勢されており、このため凹溝４５の右側の立上り壁がこのガイド部となっている。
【００４５】
また、ガイドピン４２が中立位置線の反対側に移動されると、バネアーム４３によって中立位置線側に付勢されるため、往動作末端位置ｄでは、ガイドピン４２は、左側に付勢される。従って係止解除往動作ガイド部４１ｄは、中立位置線ｙまでは凹溝の中立位置線ｙ側の立上り壁面即ち右側がガイド部となり、中立位置線ｙを横切った後は、凹溝の左側の立上り壁面がガイド部となる。
【００４６】
復動作ガイド部４１ｅは、再度中立位置線ｙをななめに横切って、前述した初期往動作ガイド部４１ａの凹溝の中立位置線ｙとは反対側の側部に連続しているため、このガイド部４１ｅにおいても、中立位置線ｙまでは凹溝の中立位置線ｙ側の立上り壁面即ち左側がガイド部となり、中立位置線ｙを横切った後は、凹溝の右側の立上り壁面がガイド部となる。
【００４７】
次に、本実施例におけるプッシュオン・プッシュオフ機構を使用したメモリーカードコネクタの動作について説明する。
【００４８】
まず、メモリーカードＡが挿入されていない状態では、スライダー３０は、図２に示すようにハウジング本体２１の前壁構成部２１ｄに当接した状態のスライダー待機位置にあり、ガイドピン４２は待機時ピン停止位置ａにある。この状態から、メモリーカードＡを挿入することにより、その先端によってスライダー３０が押し込み方向に押されて往動作する。この時ガイドピン４２は初期往動作ガイド部４１ａ内を初期往動作末端ピン停止位置ｂ側に移動し、該ピン停止位置ｂにてガイド部先端に当接して停止する。
【００４９】
この状態からメモリーカードＡの押し込み操作力を解除すると、復帰バネ２６によってスライダー３０は戻り方向に動作される。この時ガイドピン４２はバネアーム４３によって中立位置線ｙ側に付勢されているため、図３に示すように初期往動作ガイド部４１ａの初期往動作末端ピン停止位置ｂから戻り止め状態位置導入ガイド部４１ｂに入り、戻り止め係止ガイド部４１ｃの戻り止め係止時ピン停止位置ｃに移動して停止する。この時メモリーカードＡは、その端子部がハウジング内の接触子と接触した所定の挿入深さとなって停止する。
【００５０】
次いで、メモリーカードＡ抜き取りのために、再度のメモリーカードを押し込み方向に操作することにより、ガイドピン４２は、図４に示すように係止解除往動作ガイド部４１ｄの先端のピン往動作末端位置ｄに至り移動が阻止される。この状態でメモリーカードＡに対する押し込み方向の操作力を解除すると、スライダー３０は復帰バネによって戻り方向に動作され、ガイドピン４２は復動作ガイド部４１ｅに入り、初期往動作ガイド部４１ａに至り、もとの待機時ピン停止位置ａに戻る。
【００５１】
尚、上述した実施例では、本発明に係るプッシュオン・プッシュオフ機構をメモリーカードコネクタに使用した場合を示しているが、これに限らずスイッチのＯＮ・ＯＦＦ機構など各種の装置に使用することができ、スライダーは、上記ハウジングの他、プレート等の支持部に支持させても良い。
【００５２】
また、上述した実施例では、ピンガイドをスライダー表面に凹溝を形成することによって構成させ、その凹溝の中立位置線側及び戻しバネ位置側をガイド部としているが、凹溝を形成することなく、平板状部にガイド部となる立上り壁のみを形成したものや、凹溝と立上り壁とを併用したものであってもよい。
【００５３】
更に、この立上り壁は、湾曲した面から立ち上げたものであってもよく、ガイドピンが摺接する部分が、仮想平面から立ち上がっているものであれば良い。
【００５４】
また、この実施例では、スライダー側にピンガイドを形成し、ハウジング側にガイドピンを支持させているが、これとは逆にスライダー側にガイドピンを支持させ、ハウジング側にピンガイドを設けてもよい。
【００５５】
更に、この実施例ではガイドピンの中立位置線への付勢を片持式に設置したバネアームによって行わせているが、この他、先端側を左右に揺動自在に支持させた回動アームの先端にガイドピンを固定し、この回動アームをスプリングによって中立位置線に付勢させる等、他の中立位置線付勢手段を用いてもよい。
【００５６】
更に、上述した実施例では、待機時ピン停止位置ａ、初期往動作末端ピン停止位置ｂ及び戻り止め係止時ピン停止位置ｃが中立位置線ｙの左側にあり、ピン往動作末端位置ｄが中立位置線ｙの右側にある場合を示しているが、待機時ピン停止位置ａは左右のいずれのがわにあってもよく、戻り止め係止時ピン停止位置ｃより中立位置線ｙ側に戻り止め係止時ピン停止位置ｃがあり、合流点ｅ近傍においては、初期往動作ガイド部４１ａの中立位置線ｙより遠い側に復動作ガイド部４１ｅの開口が位置していることによって、スライダー３０の操作によってガイドピン４２をピンガイド４１に沿って循環させることができる。
【００５７】
尚、別の例として図７において、実施例１と対応する部分には同一符号を付して重複説明を省略する。
【００５８】
また当然のことながら、ピンガイドは上記各実施例において中立位置線ｙを中央にして各部分を左右逆側に配置しても良い。
【００５９】
スライダを押し込む往動作においてピンガイドが移動する往動作ガイド部４１aまたは係止解除往動作ガイド部４１dにおいては、中立位置線ｙの一方（図７においては左側）から他方（図７においては右側）に至って配置され、スライダが排出される復動作においてピンガイドが移動する復動作ガイド部４１ｅにおいては、中立位置線ｙの他方（図５においては左側、図７においては右側）から一方（図７においては左側）に至って配置することで、ピンガイド４１を中立位置線yの両側に亘るリング状の循環構造とし、往動作ガイド部と復動作ガイド部の連結部においてガイドピン４２を一定の方向に循環させることができる。更に、往動作ガイド部４１ａまたは係止解除動作ガイド部４１ｄと復動作ガイド部４１ｅは、スライダーに連動して同じ向きに変位を与えられるガイドピン４２が、ピンガイド４１を構成する立ち上がり壁面に摺接しながら案内されるので、一定方向に進むことができる。
【００６０】
また、中立位置線ｙの一方側（図５においては左側、図7においては右側）に配置される戻り止め状態位置導入ガイド部４１ｂおよび戻り止め係止部４１cは、戻り止め係止部４１ｃを中立位置線側に配置することによって、ガイドピンを一定方向に移動させて係止を確実に行うことができる。
【００６１】
また、中立位置線ｙの一方側（図５、図７において右側）に配置される係止解除往動作ガイド部４１ｄと復動作ガイド部４１eの連結部は、合流点eに対して中立位置線の反対側に位置しているので、ガイドピンを復動作ガイド部４１eに移動することができる。
【図面の簡単な説明】
【００６２】
【図１】本発明に係るプッシュ式メモリーカードコネクタの一実施例のハウジングを示す正面図である。
【図２】図１に示すプッシュ式メモリーカードコネクタにおけるスライダーがスライダー待機位置にあってカードが挿し込まれた状態を示す部分拡大平面図である。
【図３】同、スライダーが押し込まれた後の戻り止め状態を示す部分拡大平面図である。
【図４】同、スライダーが最も押し込まれて状態を示す部分拡大平面図である。
【図５】スライダーに形成したピンガイドを拡大して示す平面図である。
【図６】溝状のピンガイドとガイドピンを示す断面図である。
【図７】本発明におけるピンガイドの他の実施例を示すガイドピン循環経路を示す平面図である。
【図８】従来のプッシュ式メモリーカードコネクタのシールドカバーを外した状態の平面図である。
【図９】同上のハートカム機構部分を拡大して示す平面図である。
【符号の説明】
【００６３】
Ａ  メモリーカード
ａ  待機時ピン停止位置
ｂ  初期往動作末端ピン停止位置
ｃ  戻り止め係止時ピン停止位置
ｄ  ピン往動作末端位置
ｅ  合流点
ｙ  中立位置線
２０  ハウジング
２１  ハウジング本体
２１a  底板部
２１ｂ  側壁構成部
２１ｃ  後壁構成部
２１ｄ  前壁構成部
２２  シールドカバー
２２ａ  天板部
２３  メモリーカード挿入部
２４  スライダー収容部
２５  ガイド突条
２６  復帰バネ
３０  スライダー
３１  前端面
３１ａ  上面
３２  カードストッパー
３３  カード係止爪
４１  ピンガイド
４１ａ  初期往動作ガイド部
４１ｂ  戻り止め状態位置導入ガイド部
４１ｃ  戻り止め係止部
４１ｄ  係止解除往動作ガイド部
４１ｅ  復動作ガイド部
４２  ガイドピン
４３  バネアーム
４５  凹溝
４５ａ，４５ｂ  立上り壁面
【図１】
2010073538.tif 000003
【図２】
2010073538.tif 000004
【図３】
2010073538.tif 000005
【図４】
2010073538.tif 000006
【図５】
2010073538.tif 000007
【図６】
2010073538.tif 000008
【図７】
2010073538.tif 000009
【図８】
2010073538.tif 000010
【図９】
2010073538.tif 000011